(57)【特許請求の範囲】
【請求項１】
透析液の流路に接続され、その流通する透析液を採取可能な採取口が形成された透析液取出手段と、
該透析液取出手段に対して脱着可能とされて前記採取口を開閉し得るとともに、当該採取口を閉じた状態でシールするシール部が形成された開閉手段と、
を具備した透析液取出装置において、
前記開閉手段は、前記透析液取出手段から取り外される際、前記シール部より内側の部位が撓んで前記採取口側に変位可能とされたことを特徴とする透析液取出装置。
【請求項２】
前記開閉手段は、
一部に前記シール部が形成された可撓性部材から成るシール部材と、
該シール部材を覆いつつ保持したキャップ部材と、
を具備し、前記シール部材における前記シール部より内側が撓んで前記採取口側に変位可能とされたことを特徴とする請求項１記載の透析液取出装置。
【請求項３】
前記キャップ部材は、前記シール部材が撓んで前記採取口側に変位する際、当該キャップ部材と前記シール部材との間に外部の空気を導入可能な導入孔が形成されたことを特徴とする請求項２記載の透析液取出装置。
【請求項４】
前記キャップ部材は、前記シール部材が撓んで前記採取口側に変位可能とする空間が当該キャップ部材と前記シール部材との間に形成されたことを特徴とする請求項２記載の透析液取出装置。
【請求項５】
前記開閉手段を前記透析液取出手段から取り外す際、前記透析液取出手段が接続された透析液の流路における液体の体積を減少させることにより、当該開閉手段における前記シール部より内側の部位を撓ませて前記採取口側に変位可能とされたことを特徴とする請求項１〜４の何れか１つに記載の透析液取出装置。
【請求項６】
前記キャップ部材は、前記シール部材を押圧可能な開口が形成されるとともに、当該開口を介して前記シール部材を撓ませて前記採取口側に変位可能としたことを特徴とする請求項２記載の透析液取出装置。
【発明の詳細な説明】
【技術分野】
【０００１】
本発明は、透析液の流路に接続され、その流通する透析液を採取可能な採取口が形成された透析液取出手段と、該透析液取出手段に対して脱着可能とされて採取口を開閉し得るとともに、当該採取口を閉じた状態でシールするシール部が形成された開閉手段とを具備した透析液取出装置に関するものである。
【背景技術】
【０００２】
近時において、血液浄化装置としての透析装置では透析治療（特に、オンラインＨＤＦ又はオンラインＨＦ）時において、ダイアライザに供給するための透析液を用いてプライミング、返血及び補液（緊急補液）を行う技術や、当該透析液をオンラインＨＤＦやオンラインＨＦの治療のための置換液として利用する技術が提案されるに至っている。例えば、特許文献１には、一端が透析液導入ラインの所定部位に形成された透析液取出ポート（以下、「採取口」と称する）に接続されるとともに、他端が血液回路（動脈側血液回路又は静脈側血液回路）に接続された透析液供給ラインと、透析液供給に配設された補液ポンプとを具備した透析装置が開示されている。かかる透析装置により、プライミング、返血又は補液（緊急補液）を行う際、補液ポンプを駆動させることにより、透析液導入ラインの透析液を血液回路（動脈側血液回路又は静脈側血液回路）に供給し得るようになっている。
【０００３】
通常、採取口には、図１５に示すような開閉手段Ｉが脱着自在とされており、当該開閉手段Ｉを採取口１０２から取り外して補液ライン等を接続させるとともに、補液ライン等を接続しない場合は、開閉手段Ｉを採取口１０２に取り付けて透析液導入ラインを流れる透析液が外部に漏れ出ないようになっている。さらに、開閉手段Ｉ内には、シール部材１０３及びキャップ部材１０４が固定されており、開閉手段Ｉが採取口１０２に取り付けられた状態で、シール部材１０３のシール部１０３ａが採取口１０２に当接してシールし得るようになっている。
【０００４】
ところで、採取口１０２には、その内部に透析液が導かれる導入部材１０１が形成されており、開閉手段Ｉが取り付けられた状態において、導入部材１０１を介して透析液導入ラインから洗浄液や消毒液等の液体が導入されると、その液体が開閉手段Ｉに当たって逆方向（図１５中下方）に流れ、導入部材１０１の外周面と採取口１０２の内周面との間の間隙を通って透析液導入ラインに流動し得るようになっている。このとき、採取口１０２の突端１０２ａに対しても洗浄液及び消毒液を流通させて洗浄及び消毒するのが好ましいことから、シール部材１０３のシール部１０３ａが採取口１０２の外周壁面に当接してシールするよう構成されている。
【先行技術文献】
【特許文献】
【０００５】
【特許文献１】特開２００４−３１３５２２号公報
【発明の概要】
【発明が解決しようとする課題】
【０００６】
しかしながら、上記従来の透析液取出装置においては、採取口１０２の突端１０２ａを洗浄及び消毒させるため、シール部材１０３のシール部１０３ａが採取口１０２の外周壁面に当接してシールするよう構成されているので、開閉手段Ｉが取り付けられた状態で採取口１０２の突端１０２ａとシール部１０３ａとの間に空間Ｙが形成されることとなり、その空間Ｙに透析液が溜まってしまう。この状態で開閉手段Ｉを採取口１０２から取り外そうとした場合、空間Ｙ内の透析液が外部に飛散してしまう虞があり、衛生上、好ましくないという問題があった。
【０００７】
本発明は、このような事情に鑑みてなされたもので、採取口から開閉手段を取り外す際の透析液の飛散を防止することができ、採取口の清浄性を確実に保持することができる透析液取出装置を提供することにある。
【課題を解決するための手段】
【０００８】
請求項１記載の発明は、透析液の流路に接続され、その流通する透析液を採取可能な採取口が形成された透析液取出手段と、該透析液取出手段に対して脱着可能とされて前記採取口を開閉し得るとともに、当該採取口を閉じた状態でシールするシール部が形成された開閉手段とを具備した透析液取出装置において、前記開閉手段は、前記透析液取出手段から取り外される際、前記シール部より内側の部位が撓んで前記採取口側に変位可能とされたことを特徴とする。
【０００９】
請求項２記載の発明は、請求項１記載の透析液取出装置において、前記開閉手段は、一部に前記シール部が形成された可撓性部材から成るシール部材と、該シール部材を覆いつつ保持したキャップ部材とを具備し、前記シール部材における前記シール部より内側が撓んで前記採取口側に変位可能とされたことを特徴とする。
【００１０】
請求項３記載の発明は、請求項２記載の透析液取出装置において、前記キャップ部材は、前記シール部材が撓んで前記採取口側に変位する際、当該キャップ部材と前記シール部材との間に外部の空気を導入可能な導入孔が形成されたことを特徴とする。
【００１１】
請求項４記載の発明は、請求項２記載の透析液取出装置において、前記キャップ部材は、前記シール部材が撓んで前記採取口側に変位可能とする空間が当該キャップ部材と前記シール部材との間に形成されたことを特徴とする。
【００１２】
請求項５記載の発明は、請求項１〜４の何れか１つに記載の透析液取出装置において、前記開閉手段を前記透析液取出手段から取り外す際、前記透析液取出手段が接続された透析液の流路における液体の体積を減少させることにより、当該開閉手段における前記シール部より内側の部位を撓ませて前記採取口側に変位可能とされたことを特徴とする。
【００１３】
請求項６記載の発明は、請求項２記載の透析液取出装置において、前記キャップ部材は、前記シール部材を押圧可能な開口が形成されるとともに、当該開口を介して前記シール部材を撓ませて前記採取口側に変位可能としたことを特徴とする。
【発明の効果】
【００１４】
請求項１の発明によれば、開閉手段は、透析液取出手段から取り外される際、シール部より内側の部位が撓んで採取口側に変位可能とされたので、採取口から開閉手段を取り外す際の透析液の飛散を防止することができ、採取口の清浄性を確実に保持することができる。
【００１５】
請求項２の発明によれば、開閉手段は、一部に前記シール部が形成された可撓性部材から成るシール部材と、該シール部材を覆いつつ保持したキャップ部材とを具備し、シール部材におけるシール部より内側が撓んで採取口側に変位可能とされたので、シール部材によるシール及び変位を円滑に行わせつつキャップ部材によって透析液取出手段の採取口に対する脱着を容易に行わせることができる。
【００１６】
請求項３の発明によれば、キャップ部材は、シール部材が撓んで採取口側に変位する際、当該キャップ部材とシール部材との間に外部の空気を導入可能な導入孔が形成されたので、シール部材の撓みをより円滑且つ確実に行わせることができる。
【００１７】
請求項４の発明によれば、キャップ部材は、シール部材が撓んで採取口側に変位可能とする空間が当該キャップ部材と前記シール部材との間に形成されたので、キャップ部材に対する孔等の形成を不要としつつシール部材の撓みを円滑且つ確実に行わせることができる。
【００１８】
請求項５の発明によれば、開閉手段を透析液取出手段から取り外す際、透析液取出手段が接続された透析液の流路における液体の体積を減少させることにより、当該開閉手段におけるシール部より内側の部位を撓ませて採取口側に変位可能とされたので、開閉手段の取り外し前の任意タイミングにてシール部材を確実に撓ませて採取口側に変位させることができる。
【００１９】
請求項６の発明によれば、キャップ部材は、シール部材を押圧可能な開口が形成されるとともに、当該開口を介してシール部材を撓ませて採取口側に変位可能としたので、シール部材を任意タイミングにて撓ませて採取口側に変位させることができる。
【図面の簡単な説明】
【００２０】
【図１】本発明の透析液取出装置が適用される血液浄化装置を示す模式図
【図２】本発明の第１の実施形態に係る透析液取出装置（採取口に開閉手段を取り付けた状態）を示す断面模式図
【図３】同透析液取出装置（採取口に開閉手段を取り付けた状態）を示す断面模式図
【図４】同透析液取出装置における透析液取出手段（採取口から開閉手段を取り外した状態）を示す断面模式図
【図５】同透析液取出装置の採取口に開閉手段が取り付けられた状態でシール部材が撓む前の状態を示す断面模式図
【図６】同透析液取出装置の採取口に開閉手段が取り付けられた状態でシール部材が撓んだ後の状態を示す断面模式図
【図７】同透析液取出装置のシール部材を撓ませるための動作（除水ポンプを使用）を示す配管図
【図８】同透析液取出装置のシール部材を撓ませるための動作（加圧ポンプを使用）を示す配管図
【図９】同透析液取出装置のシール部材を撓ませるための動作（送液ポンプを使用）を示す配管図
【図１０】同透析液取出装置のシール部材を撓ませるための動作（送液ポンプを使用）を示す他の配管図
【図１１】本発明の第２の実施形態に係る透析液取出装置（シール部材が撓む前）を示す断面模式図
【図１２】同透析液取出装置（シール部材が撓んだ後）を示す断面模式図
【図１３】本発明の第３の実施形態に係る透析液取出装置（シール部材が撓む前）を示す断面模式図
【図１４】同透析液取出装置（シール部材が撓んだ後）を示す断面模式図
【図１５】従来の透析液取出装置を示す断面模式図
【発明を実施するための形態】
【００２１】
以下、本発明の実施形態について図面を参照しながら具体的に説明する。
本実施形態に係る透析液取出装置は、血液浄化治療（血液透析治療）で使用される血液浄化装置に配設され、透析液を採取可能とされたものである。適用される血液浄化装置は、図１に示すように、ダイアライザ１（血液浄化手段）に動脈側血液回路２及び静脈側血液回路３が接続された血液回路と、透析液導入ラインＬ１及び透析液排出ラインＬ２を有した透析装置本体Ｂとから主に構成されている。
【００２２】
ダイアライザ１は、血液を浄化するためのもので、ポート１ａ、１ｂを介して血液回路を構成する動脈側血液回路２及び静脈側血液回路３とそれぞれ接続されるとともに、ポート１ｃ、１ｄを介して透析液導入ラインＬ１及び透析液排出ラインＬ２とそれぞれ接続されている。動脈側血液回路２には、しごき型ポンプから成る血液ポンプ４が配設されており、かかる血液ポンプ４を駆動させることにより、血液回路にて血液等の液体を送液させ得るようになっている。
【００２３】
また、動脈側血液回路２の先端及び静脈側血液回路３の先端には、それぞれ動脈側穿刺針ａ、静脈側穿刺針ｂが取り付け可能とされており、これら動脈側穿刺針ａ及び静脈側穿刺針ｂを患者に穿刺させつつ血液ポンプ４を駆動させることにより、動脈側穿刺針ａから採取された患者の血液を血液回路にて体外循環させ、ダイアライザ１にて血液浄化及び除水した後、静脈側穿刺針ｂから患者に戻すようになっている。なお、動脈側血液回路２には、エアトラップチャンバ５が接続され、先端側にクランプ手段Ｖａが配設されるとともに、静脈側血液回路３には、エアトラップチャンバ６が接続され、先端側にクランプ手段Ｖｂが配設されている。
【００２４】
さらに、透析液導入ラインＬ１及び透析液排出ラインＬ２には、所定濃度に調製された透析液をダイアライザ１に供給し、当該ダイアライザ１から排出させる送液ポンプとしての複式ポンプ７が接続されている。すなわち、透析液導入ラインＬ１及び透析液排出ラインＬ２に跨って複式ポンプ７が配設されており、かかる複式ポンプ７を駆動させることにより、ダイアライザ１に対して透析液導入ラインＬ１にて透析液を導入及び透析液排出ラインＬ２にて透析液を排出させ得るよう構成されているのである。
【００２５】
また、透析液導入ラインＬ１には、フィルタ１１、１２が接続されており、ダイアライザ１に導入する透析液をフィルタ１１、１２にて濾過し得るとともに、電磁弁Ｖ１、Ｖ７にて任意タイミングで流路を遮断又は開放可能とされている。かかる透析液導入ラインＬ１における電磁弁Ｖ１より上流側（電磁弁Ｖ１と透析液取出手段１０との間）には、流路中の圧力（流路中の液圧）を検出し得るセンサから成る圧力検出手段αが接続されている。なお、透析液導入ラインＬ１は、バイパスラインＬ７、Ｌ８にて透析液排出ラインＬ２と接続されており、これらバイパスラインＬ７、Ｌ８には、電磁弁Ｖ３、Ｖ４がそれぞれ接続されている。
【００２６】
また、透析液排出ラインＬ２には、複式ポンプ７を迂回する迂回ラインＬ３、Ｌ４が接続されており、迂回ラインＬ３には除水ポンプ８が接続されている。これにより、血液回路にて患者の血液を体外循環させる過程で除水ポンプ８を駆動させることにより、ダイアライザ１を流れる血液から水分を取り除いて除水し得るようになっている。さらに、透析液排出ラインＬ２における複式ポンプ７より上流側（図中左側）には、当該複式ポンプ７（送液ポンプ）における透析液排出ラインＬ２の液圧調整を行う加圧ポンプ９が接続されており、当該加圧ポンプ９と複式ポンプ７との間からは、チャンバ１３を介して迂回ラインＬ５が延設されている。
【００２７】
また、透析液排出ラインＬ２における電磁弁Ｖ２より下流側（バイパスラインＬ７の接続部とバイパスラインＬ８の接続部との間）には、流路中の圧力（流路中の液圧）を検出し得るセンサから成る圧力検出手段βが接続されている。またさらに、透析液排出ラインＬ２及びそこから分岐する迂回ラインＬ４、Ｌ５には、電磁弁Ｖ２、Ｖ５、Ｖ６が接続されており、任意タイミングで流路を遮断又は開放可能とされている。なお、透析液排出ラインＬ２における迂回ラインＬ４の接続部と加圧ポンプ９との間から迂回ラインＬ３まで、迂回ラインＬ６が延設されており、かかる迂回ラインＬ６にはリリーフ弁ＶＬが接続されている。
【００２８】
本実施形態に係る透析液導入ラインＬ１には、当該透析液導入ラインＬ１を流れる透析液を採取可能な透析液取出装置が接続されている。この透析液取出装置は、図２〜４に示すように、透析液の流路（透析液導入ラインＬ１）に接続され、その流通する透析液を採取可能な採取口１０ｄが形成された透析液取出手段１０と、該透析液取出手段１０に対して脱着可能とされて採取口１０ｄを開閉し得るとともに、当該採取口１０ｄを閉じた状態でシールするシール部１４ａが形成された開閉手段Ｈとを有して構成されている。
【００２９】
透析液取出手段１０は、透析液導入ラインＬ１に接続された第１取出部材１０ａと、該第１取出部材１０ａ内に形成された第２取出部材１０ｂと、該第２取出部材１０ｂに組み付けられて内部に流路が形成された第３取出部材１０ｃと、該第３取出部材１０ｃを覆う如く取り付けられた採取口１０ｄとを有して構成されている。採取口１０ｄは、透析液供給ラインＬａ（図１参照）の一端が接続されるポート状の部位から成り、図５、６に示すように、透析液供給ラインＬａの一端に形成されたコネクタ（不図示）を挿通するための挿通孔１０ｄａと、突端１０ｄｂと、当該コネクタを螺合可能なメネジ部１０ｄｃとを有している。また、採取口１０ｄは当該コネクタと取り外しが可能である。
【００３０】
透析液供給ラインＬａは、一端が透析液取出手段１０の採取口１０ｄに接続されるとともに、他端が血液回路（本実施形態においては静脈側血液回路３に接続されたエアトラップチャンバ６）に接続され、透析液導入ラインＬ１の透析液を血液回路に供給可能な流路から成る。この透析液供給ラインＬａには、クランプ手段Ｖｃが接続されており、当該クランプ手段Ｖｃを任意タイミングにて開閉し得るようになっている。なお、本実施形態においては、透析液供給ラインＬａの他端がエアトラップチャンバ６に接続されているが、血液回路の他の部位（例えば動脈側血液回路２に接続されたエアトラップチャンバ５等）に接続するようにしてもよい。
【００３１】
一方、本実施形態に係る透析液取出手段１０の第１取出部材１０ａには、導入ポートＴ１及び導出ポートＴ２がそれぞれ形成されており、これら導入ポートＴ１及び導出ポートＴ２には、透析液導入ラインＬ１における導入端部Ｌ１ａ及び導出端部Ｌ１ｂがそれぞれ接続されている。また、第２取出部材１０ｂ及び第３取出部材１０ｃの内部は、導入ポートＴ１と連通した液体の流路が形成されており、その流路に逆止弁１８が配設されている。かかる逆止弁１８は、透析液供給ラインＬａから血液回路に向かう液体の流れ（図２、４中上方に向かう流れ）を許容するとともに、血液回路から透析液導入ラインＬ１に向かう液体の流れ（同図中下方に向かう流れ）を遮断するためのものである。
【００３２】
第３取出部材１０ｃの先端は、採取口１０ｄ内において開口しており、第２取出部材１０ｂ及び第３取出部材１０ｃの内部の流路を流れた液体が採取口１０ｄ内に至るようになっている。また、第３取出部材１０ｃと開閉手段Ｈとの間には、液体の流通が可能な空間Ｓ２が形成されており、かかる空間Ｓ２は、第１取出部材１０ａに形成された空間Ｓ１と連通されている。すなわち、第３取出部材１０ｃの外周面と採取口１０ｄの内周面との間には、所定寸法の間隙が形成されており、当該間隙を介して空間Ｓ１と空間Ｓ２とが連通しているのである。
【００３３】
かかる空間Ｓ２は、導出ポートＴ２に接続されており、当該空間Ｓ２中の液体が導出ポートＴ２を介して透析液導入ラインＬ１に流れるようになっている。しかして、開閉手段Ｈが透析液取出手段１０から取り外された状態においては、導入ポートＴ１から導入された透析液が第２取出部材１０ｂ及び第３取出部材１０ｃの内部流路を介して採取口１０ｄから吐出され、透析液供給ラインＬａを介して血液回路に供給されるとともに、開閉手段Ｈが透析液取出手段１０に取り付けられた状態においては、導入ポートＴ１から導入された透析液が空間Ｓ２、Ｓ１に流れ、導出ポートＴ２を介して透析液導入ラインＬ１に戻るよう構成されている。
【００３４】
また、本実施形態に係る開閉手段Ｈは、一部にシール部１４ａが形成された樹脂材やゴム材等の可撓性部材から成るシール部材１４と、該シール部材１４を覆いつつ保持した例えば硬質樹脂等から成るキャップ部材１５とを具備しており、これらシール部材１４及びキャップ部材１５が一体化されている。シール部材１４の縁部には、採取口１０ｄの外周面に当接してシールするシール部１４ａが形成されている。
【００３５】
かかるシール部材１４により、開閉手段Ｈが採取口１０ｄに取り付けられた状態において、透析液導入ラインＬ１を流れる透析液が外部に漏れるのを防止するとともに、当該透析液導入ラインＬ１を流れる洗浄液又は消毒液が採取口１０ｄの突端１０ｄｂまで至り、当該突端１０ｄｂ及びその近傍（シール部１４ａと突端１０ｄｂとの間の空間Ｙに面した部位等）を洗浄又は消毒し得るようになっている。なお、シール部材１４における採取口１０ｄに対峙する面の中央には、当該採取口１０ｄ側に向かって突出した突出部１４ｂが形成されている。
【００３６】
また、本実施形態に係る開閉手段Ｈは、図２、４に示すように、上下動可能な軸部材１７に取り付けられた蓋部材１６にて保持されており、蓋部材１６を上方に持ち上げることで、図４に示すように、開閉手段Ｈが透析液取出手段１０から取り外されるとともに、当該蓋部材１６を下方に引き下げることで、図２に示すように、開閉手段Ｈが透析液取出手段１０に取り付けられるようになっている。かかる蓋部材１６には、キャップ部材１５の導入孔１５ａに対応した貫通孔１６ａが形成されている。なお、図中符号Ｒは、開閉手段Ｈが透析液取出手段１０に取り付けられた状態で蓋部材１６をロックするロック手段を示している。
【００３７】
ここで、本実施形態に係る開閉手段Ｈは、透析液取出手段１０から取り外される際、シール部材１４におけるシール部１４ａより内側の部位が撓んで採取口１０ｄ側に変位可能とされている。すなわち、開閉手段Ｈを透析液取出手段１０から取り外す際（取り外す前）において、図５の状態のシール部材１４を弾性変形させて撓ませることにより、図６に示すように、シール部１４ａより内側の部位を採取口１０ｄ側に変位させることができるのである。
【００３８】
しかして、シール部材１４が撓んで採取口１０ｄ側に変位することにより、その変位分だけ空間Ｓ２の体積が減少するとともに、シール部材１４のシール部１４ａと透析液取出手段１０の突端１０ｄｂとの間の空間Ｙにある透析液が挿通孔１０ｄａ内の空間Ｓ２に流れ込むこととなる。その後、開閉手段Ｈを採取口１０ｄから取り外せば、空間Ｙ内の透析液が外部に飛散することがなく、且つ、空間Ｓ２にある透析液が外部にこぼれてしまうのを抑制することができる。
【００３９】
特に、本実施形態に係るキャップ部材１５には、シール部材１４が撓んで採取口１０ｄ側に変位する際、当該キャップ部材１５とシール部材１４との間に外部の空気を導入可能な導入孔１５ａが形成されている。本実施形態の蓋部材１６（図２、３参照）には、導入孔１５ａと対応する位置に貫通孔１６ａが形成されており、外部の空気がキャップ部材１５とシール部材１４との間に導入し得るよう構成されている。これにより、シール部材１４によるシール及び変位を円滑に行わせつつキャップ部材１５によって透析液取出手段１０の採取口１０ｄに対する脱着を容易に行わせることができる。なお、シール部材１４の撓みがなくなって元の状態に戻る際、導入孔１５ａによりキャップ部材１５とシール部材１４との間の空気を外部に放出させることができる。
【００４０】
さらに、本実施形態においては、開閉手段Ｈを透析液取出手段１０から取り外す際、透析液取出手段１０が接続された透析液の流路（透析液導入ラインＬ１）における液体（本実施形態においては透析液）の体積を減少させることにより、当該開閉手段Ｈにおけるシール部材１４のシール部１４ａより内側の部位を撓ませて採取口１０ｄ側に変位可能とされている。液体（透析液）の体積を減少させる方法として、例えば、除水ポンプ８を駆動させるもの（図７参照）、加圧ポンプ９を駆動させるもの（図８参照）、送液ポンプとしての複式ポンプ７を駆動させるもの（図９、１０参照）が挙げられる。
【００４１】
除水ポンプ８を駆動させて液体（透析液）の体積を減少させる場合について、図７に基づいて以下に説明する。
先ず、透析液導入ラインＬ１の先端ｃと透析液排出ラインＬ２の先端ｄを接続するとともに、電磁弁Ｖ１、Ｖ２、Ｖ４、Ｖ５、Ｖ６、Ｖ７を閉状態（流路を遮断）、電磁弁Ｖ３を開状態（流路を開放）とし、除水ポンプ８を駆動させる。このとき、加圧ポンプ９及び複式ポンプ７は停止している。これにより、透析液導入ラインＬ１における透析液取出手段１０が接続された部位の透析液の体積を減少させることができ、シール部材１４の内側の部位を採取口１０ｄ側に撓ませることができる。なお、加圧ポンプ９及び複式ポンプ７を駆動させてもよいが、複式ポンプ７を駆動させる場合、電磁弁Ｖ７（又は電磁弁Ｖ４）を開状態とする必要がある。
【００４２】
次に、加圧ポンプ９を駆動させて液体（透析液）の体積を減少させる場合について、図８に基づいて以下に説明する。
先ず、透析液導入ラインＬ１の先端ｃと透析液排出ラインＬ２の先端ｄを接続するとともに、電磁弁Ｖ１、Ｖ２、Ｖ４、Ｖ５、Ｖ７を閉状態（流路を遮断）、電磁弁Ｖ３、Ｖ６を開状態（流路を開放）とし、加圧ポンプ９を駆動させる。このとき、除水ポンプ８及び複式ポンプ７は停止している。これにより、透析液導入ラインＬ１における透析液取出手段１０が接続された部位の透析液の体積を減少させることができ、シール部材１４の内側の部位を採取口１０ｄ側に撓ませることができる。なお、複式ポンプ７を駆動させてもよいが、その場合、電磁弁Ｖ７（又は電磁弁Ｖ４）を開状態とする必要がある。
【００４３】
次に、複式ポンプ７を駆動させて液体（透析液）の体積を減少させる場合について、図９に基づいて以下に説明する。
先ず、透析液導入ラインＬ１の先端ｃと透析液排出ラインＬ２の先端ｄを接続するとともに、電磁弁Ｖ１、Ｖ２、Ｖ４、Ｖ５、Ｖ６、Ｖ７を閉状態（流路を遮断）、電磁弁Ｖ３を開状態（流路を開放）とし、複式ポンプ７を駆動させる。このとき、除水ポンプ８及び加圧ポンプ９は停止している。これにより、透析液導入ラインＬ１における透析液取出手段１０が接続された部位の透析液の体積を減少させることができ、シール部材１４の内側の部位を採取口１０ｄ側に撓ませることができる。なお、加圧ポンプ９を駆動させてもよい。
【００４４】
なお、図１０に示すように、透析液導入ラインＬ１において、複式ポンプ７を迂回する迂回ラインＬ９を接続し、その迂回ラインＬ９に電磁弁Ｖ８を接続するようにしてもよい。そして、電磁弁Ｖ８を開状態としつつ複式ポンプ７が駆動すると、迂回ラインＬ９にて透析液が循環することとなり、リリーフ手段として機能させることができる。この場合であっても、透析液導入ラインＬ１における透析液取出手段１０が接続された部位の透析液の体積を減少させることができ、シール部材１４の内側の部位を採取口１０ｄ側に撓ませることができる。
【００４５】
上記実施形態によれば、開閉手段Ｈは、透析液取出手段１０から取り外される際、シール部１４ａより内側の部位が撓んで採取口１０ｄ側に変位可能とされたので、採取口１０ｄから開閉手段Ｈを取り外す際の透析液の飛散を防止することができ、採取口１０ｄの清浄性を確実に保持することができる。特に、本実施形態においては、シール部１４ａより内側の部位が撓んで採取口１０ｄ側に変位させることにより、空間Ｙの透析液を挿通孔１０ｄａ内に逃がすことができるので、開閉手段Ｈを取り外す際、当該空間Ｙ内の透析液が外部にこぼれてしまうのを防止することができる。
【００４６】
また、本実施形態に係る開閉手段Ｈは、一部にシール部１４ａが形成された可撓性部材から成るシール部材１４と、該シール部材１４を覆いつつ保持したキャップ部材１５とを具備し、シール部材１４におけるシール部１４ａより内側が撓んで採取口１０ｄ側に変位可能とされたので、シール部材１４によるシール及び変位を円滑に行わせつつキャップ部材１５によって透析液取出手段１０の採取口１０ｄに対する脱着を容易に行わせることができる。
【００４７】
さらに、本実施形態によれば、開閉手段Ｈを透析液取出手段１０から取り外す際、透析液取出手段１０が接続された透析液の流路（透析液導入ラインＬ１）における液体（透析液）の体積を減少させることにより、当該開閉手段Ｈにおけるシール部材１４のシール部１４ａより内側の部位を撓ませて採取口１０ｄ側に変位可能とされたので、シール部材１４を確実に撓ませて採取口側に変位させることができる。なお、透析液取出手段１０が接続された透析液の流路の液体の体積を減少させる契機は、開閉手段Ｈを取り外す際に操作者が操作手段を操作してもよく、或いは装置自体が自動的に制御されるものであってもよい。
【００４８】
次に、本発明に係る第２の実施形態について説明する。
本実施形態に係る透析液取出装置は、第１の実施形態と同様、血液浄化治療（血液透析治療）で使用される血液浄化装置に配設され、透析液を採取可能とされたもので、適用される血液浄化装置は、図１に示した如き構成のものである。なお、第１の実施形態と同様の構成については、その詳細な説明を省略する。
【００４９】
本実施形態の透析液取出装置は、透析液の流路（透析液導入ラインＬ１）に接続され、その流通する透析液を採取可能な採取口１０ｄが形成された透析液取出手段１０と、該透析液取出手段１０に対して脱着可能とされて採取口１０ｄを開閉し得るとともに、当該採取口１０ｄを閉じた状態でシールするシール部１４ａが形成された開閉手段Ｈとを有して構成されている。この開閉手段Ｈは、一部にシール部１４ａが形成された可撓性部材から成るシール部材１４と、該シール部材１４を覆いつつ保持したキャップ部材１５’とを具備している。
【００５０】
ここで、本実施形態に係るキャップ部材１５’は、図１１、１２に示すように、シール部材１４が撓んで採取口１０ｄ側に変位可能とする空間１５’ａが当該キャップ部材１５’とシール部材１４との間に形成されている。しかして、開閉手段Ｈを透析液取出手段１０から取り外す際（取り外す前）において、図１１の状態のシール部材１４を弾性変形させて撓ませるとき、空間１５’ａ内の空気が膨張するので、図１２に示すように、シール部１４ａより内側の部位を採取口１０ｄ側に変位させることができる。
【００５１】
本実施形態によれば、キャップ部材１５’は、シール部材１４が撓んで採取口１０ｄ側に変位可能とする空間１５’ａが当該キャップ部材１５’とシール部材１４との間に形成されたので、キャップ部材１５’に対する孔等の形成を不要としつつシール部材１４の撓みを円滑且つ確実に行わせることができる。なお、シール部材１４を撓ませる方法として、第１の実施形態で説明したように、透析液取出手段１０が接続された透析液の流路（透析液導入ラインＬ１）における液体（透析液）の体積を減少させるのが好ましい。
【００５２】
次に、本発明に係る第３の実施形態について説明する。
本実施形態に係る透析液取出装置は、第１、２の実施形態と同様、血液浄化治療（血液透析治療）で使用される血液浄化装置に配設され、透析液を採取可能とされたもので、適用される血液浄化装置は、図１に示した如き構成のものである。なお、第１、２の実施形態と同様の構成については、その詳細な説明を省略する。
【００５３】
本実施形態の透析液取出装置は、透析液の流路（透析液導入ラインＬ１）に接続され、その流通する透析液を採取可能な採取口１０ｄが形成された透析液取出手段１０と、該透析液取出手段１０に対して脱着可能とされて採取口１０ｄを開閉し得るとともに、当該採取口１０ｄを閉じた状態でシールするシール部１４ａが形成された開閉手段Ｈとを有して構成されている。この開閉手段Ｈは、一部にシール部１４ａが形成された可撓性部材から成るシール部材１４と、該シール部材１４を覆いつつ保持したキャップ部材１５”とを具備している。
【００５４】
ここで、本実施形態に係るキャップ部材１５”は、図１３、１４に示すように、シール部材１４を押圧可能な開口１５”ａが形成されるとともに、当該開口１５”ａを介してシール部材１４を撓ませて採取口１０ｄ側に変位可能とされている。すなわち、キャップ部材１５”の頂部には、操作者の指やスイッチの部品等が入り得る開口１５”ａが形成されており、開閉手段Ｈを透析液取出手段１０から取り外す際（取り外す前）において、開口１５”ａに指やスイッチ部品を挿通することにより、図１３の状態のシール部材１４を背面から押圧することができ、図１４に示すように、当該シール部材１４を採取口１０ｄ側に変位させることができる。
【００５５】
本実施形態によれば、キャップ部材１５”は、シール部材１４を押圧可能な開口１５”ａが形成されるとともに、当該開口１５”ａを介してシール部材１４を撓ませて採取口１０ｄ側に変位可能としたので、開閉手段Ｈの取り外し前の任意タイミングにてシール部材１４を撓ませて採取口側に変位させることができる。なお、シール部材１４を撓ませる方法として、開口１５”を介して指やスイッチ部品で押圧するものの他、開口１５”ａを介して正圧を付与するものとしてもよい。
【００５６】
以上、本実施形態について説明したが、本発明はこれらに限定されず、例えば開閉手段Ｈがキャップ部材１５、１５’、１５”を有さずシール部材１４のみから成るもの、シール部材１４のシール部１４ａが採取口１０ｄの突端１０ｄｂに当接してシールするもの、シール部材１４に突出部１４ｂが形成されないもの等であってもよい。また、本実施形態においては、開閉手段Ｈが蓋部材１６にて保持されているが、開閉手段Ｈ単体で採取口１０ｄに脱着可能とされたものであってもよい。
【００５７】
なお、本実施形態が適用される血液浄化装置は、何れの形態のものであってもよく、例えば、複式ポンプ７に代えてチャンバにて透析液を導入又は排出させるもの、ダイアライザ１に代えて他の形態の血液浄化器を具備したもの、或いは圧力検出手段α、βを具備しないもの若しくは圧力検出手段βのみ具備したものであってもよい。またさらに、本実施形態においては、何れも透析装置本体の透析液導入ラインＬ１に配設されているが、当該透析装置本体内の他の流路に配設したものとしてもよい。
【産業上の利用可能性】
【００５８】
透析液取出手段から取り外される際、シール部より内側の部位が撓んで採取口側に変位可能とされた開閉手段を具備した透析液取出装置であれば、外観形状が異なるもの、或いは他の機能が付加されたもの等にも適用することができる。
【符号の説明】
【００５９】
１…ダイアライザ（血液浄化器）
２…動脈側血液回路
３…静脈側血液回路
４…血液ポンプ
５…動脈側エアトラップチャンバ
６…静脈側エアトラップチャンバ
７…複式ポンプ（送液ポンプ）
８…除水ポンプ
９…加圧ポンプ
１０…透析液取出手段
１１、１２…フィルタ
１３…チャンバ
１４…シール部材
１５…キャップ部材
Ｈ…開閉手段
α、β…圧力検出手段
【図１】
0006295147.tif 000002
【図２】
0006295147.tif 000003
【図３】
0006295147.tif 000004
【図４】
0006295147.tif 000005
【図５】
0006295147.tif 000006
【図６】
0006295147.tif 000007
【図７】
0006295147.tif 000008
【図８】
0006295147.tif 000009
【図９】
0006295147.tif 000010
【図１０】
0006295147.tif 000011
【図１１】
0006295147.tif 000012
【図１２】
0006295147.tif 000013
【図１３】
0006295147.tif 000014
【図１４】
0006295147.tif 000015
【図１５】
0006295147.tif 000016